(57)【特許請求の範囲】
【請求項１】
室内の壁面に設けられた換気孔に挿入されるスリーブと、上記スリーブの一端に上記換気孔よりも大径に形成されたフランジ部とを有する換気レジスターに取り付けられるフィルタ装置において、
一端が上記壁面と上記フランジ部との間に介在する隙間に差し込まれて保持される支持プレートと、上記支持プレートを介して上記換気レジスターを覆い隠すように取り付けられる装置本体とを有し、
上記支持プレートは、少なくとも２以上のプレートメンバーに分割されているとともに、上記各プレートメンバーは、上記換気孔を中心とする対称形状とされており、
上記装置本体は、上記支持プレートに取り付けられるベースフレームと、底面が上記ベースフレームに嵌合可能に開口され、上記換気孔に連通する通気孔が設けられて上記換気レジスターを収容可能な容積を有する箱状のハウジング本体と、上記通気孔を塞ぐように上記ハウジング本体の上面側へと着脱自在に取り付けられるフィルタとを有し、
上記支持プレートの外周縁には、所定の固定手段を介して、上記ベースフレームが取り付けられることにより、上記各プレートメンバーが上記ベースフレームを介して一体的に固定されるとともに、
上記支持プレートには、上記ベースフレームを介して、上記ハウジング本体が着脱自在に取り付けられることを特徴とするフィルタ装置。
【請求項２】
上記装置本体には、上記フィルタを覆い隠すフィルタカバーが設けられており、上記フィルタカバーは、上記通気孔を中心に上記ハウジング本体に回転可能に取り付けられているとともに、上記フィルタを通過する空気を案内する固定リングが設けられており、上記固定リングは、その一部が切り欠かれた切欠部を有し、上記フィルタカバーを回転させることにより、上記切欠部の位置が回転することを特徴とする請求項１に記載のフィルタ装置。
【請求項３】
上記ハウジング本体には、上記固定リングの上記切欠部に形状的に合致し、上記切欠部を塞ぐように配置され、空気の流れを止める閉塞板が設けられていることを特徴とする請求項２に記載のフィルタ装置。
【請求項４】
上記フィルタは、静電処理が施されていることを特徴とする請求項１ないし３のいずれか１項に記載のフィルタ装置。
【請求項５】
上記固定手段が両面粘着テープであることを特徴とする請求項１ないし４のいずれか１項に記載のフィルタ装置。
【発明の詳細な説明】
【技術分野】
【０００１】
本発明は、室内の換気孔に設置された換気レジスターに取り付けられるフィルタ装置に関し、さらに詳しく言えば、壁面を汚すことなく、換気レジスター全体を覆うように設置することができるフィルタ装置に関する。
【背景技術】
【０００２】
「シックハウス症候群」対策のために、建築基準法の改正で２００３年７月１日以降に着工する住宅は、化学物質の発散量の少ない建材を使うこととともに、換気によって室内の化学物質の濃度を低減させることが義務化された。
【０００３】
すなわち、換気によって室内の化学物質の濃度を低減させるため、一部の気密性が低い住宅を除き、原則としてすべての建築物に換気回数０．５回／ｈ以上の機械換気設備の設置が義務付けられた。
【０００４】
一般的に、この種の機械換気設備は、居室の壁面に換気孔を穿設して、そこに換気レジスターと呼ばれる換気ユニットが取り付けられる。換気レジスターとは、特許文献１に記載されているように、内部に換気ファンなどが収納された円筒状の本体と、換気孔よりも大径で換気孔を覆い隠すように円筒状の本体の一端に取り付けられるフランジ部とを有し、換気ファンにより室内に新鮮な空気を送り込む給気装置の一種である。
【０００５】
なお、換気レジスターには、強制ファンを持たない自然給気タイプもあるが、いずれにせよ、換気レジスターを通って室内に取り込まれた空気は、室内を通って浴室などに設けられた集中換気システムを介して室外に排気されるようになっている。
【０００６】
【特許文献１】特開２００５−９０９５５号公報
【発明の開示】
【発明が解決しようとする課題】
【０００７】
従来の換気レジスターには、虫などが室内に侵入しないようにするための網目フィルタなどが設けられているが、これらフィルタは空気中の埃や花粉などの微細ゴミを捕捉することができない。
【０００８】
そこで、特許文献１に記載されているように、換気レジスターの通気孔を覆い隠すように目の細かな集塵フィルタを取り付けるものも提供されてはいる。しかしながら、特許文献１に記載の集塵フィルタは、通気孔の前面に張り付くようにして設けられているため、集塵フィルタが目詰まりした場合、空気の流入量が一気に低下し、換気性が損なわれるおそれがある。さらには、集塵フィルタが室内に露出しているため、汚れが溜まったときの見映えがよくない。
【０００９】
また別の問題として、集塵フィルタは、通気孔のみを覆い隠すように設けられているため、集塵フィルタに溜まったゴミが落ちて床が汚れてしまうことがあった。これを防止する方法の１つとして、換気レジスター全体を覆い隠すように集塵フィルタを取り付けることが考えられる。
【００１０】
しかしながら、換気レジスター全体を覆うように取り付けるためには、集塵フィルタを支持するグリルを両面粘着テープや釘などを介して壁面に直に取り付けなくてはならず、壁面に何らかの取付痕ができてしまうことは否めない。
【課題を解決するための手段】
【００１１】
そこで、本発明は上述した課題を解決するため、壁面を汚すことなく、換気レジスター全体を覆うように設置することができるフィルタ装置を提供することにある。
【００１２】
上述した目的を達成するため、本発明は、以下に示すいくつかの特徴を備えている。請求項１に記載の発明は、室内の壁面に設けられた換気孔に挿入されるスリーブと、上記スリーブの一端に上記換気孔よりも大径に形成されたフランジ部とを有する換気レジスターに取り付けられるフィルタ装置において、一端が上記壁面と上記フランジ部との間に介在する隙間に差し込まれて保持される支持プレートと、上記支持プレートを介して上記換気レジスターを覆い隠すように取り付けられる装置本体とを有し、上記支持プレートは、少なくとも２以上のプレートメンバーに分割されているとともに、上記各プレートメンバーは、上記換気孔を中心とする対称形状とされており、上記装置本体は、上記支持プレートに取り付けられるベースフレームと、底面が上記ベースフレームに嵌合可能に開口され、上記換気孔に連通する通気孔が設けられて上記換気レジスターを収容可能な容積を有する箱状のハウジング本体と、上記通気孔を塞ぐように上記ハウジング本体の上面側へと着脱自在に取り付けられるフィルタとを有し、上記支持プレートの外周縁には、所定の固定手段を介して、上記ベースフレームが取り付けられることにより、上記各プレートメンバーが上記ベースフレームを介して一体的に固定されるとともに、上記支持プレートには、上記ベースフレームを介して、上記ハウジング本体が着脱自在に取り付けられることを特徴としている。
【００１３】
請求項２に記載の発明は、上記請求項１において、上記装置本体には、上記フィルタを覆い隠すフィルタカバーが設けられており、上記フィルタカバーは、上記通気孔を中心に上記ハウジング本体に回転可能に取り付けられているとともに、上記フィルタを通過する空気を案内する固定リングが設けられており、上記固定リングは、その一部が切り欠かれた切欠部を有し、上記フィルタカバーを回転させることにより、上記切欠部の位置が回転することを特徴としている。
【００１４】
請求項３に記載の発明は、上記請求項２において、上記ハウジング本体には、上記固定リングの上記切欠部に形状的に合致し、上記切欠部を塞ぐように配置され、空気の流れを止める閉塞板が設けられていることを特徴としている。
【００１５】
請求項４に記載の発明は、上記請求項１ないし３のいずれか１項において、上記フィルタは、静電処理が施されていることを特徴としている。
【００１６】
請求項５に記載の発明は、上記請求項１ないし４のいずれか１項において、上記固定手段が両面粘着テープであることを特徴としている。
【発明の効果】
【００１７】
請求項１に記載の発明によれば、壁面と換気レジスターのフランジ部との間に存在する隙間に支持プレートを保持して、支持プレートを介してフィルタ装置本体を取り付けることにより、壁面を全く傷つけることなく、換気レジスターを覆い隠すようにフィルタ装置を装着することができる。
【００１８】
また、支持プレートは少なくとも２つ以上のプレートメンバーに分割して形成されており、それらを組み合わせることで１枚の大径な支持プレートが形成されることにより、支持プレートの組立および分解を簡単に行うことができる。
【００１９】
そして、支持プレートを構成する各プレートメンバーは、換気孔を中心とした対称形状に形成されていることにより、１つの金型で全てのプレートメンバーを生産することができ、コストを安くすることができる。
【００２０】
さらに、装置本体は支持プレートを介して換気レジスター全体を覆い隠すことができるため、換気レジスターからゴミが落ちて床が汚れることを防ぐことができるとともに、換気レジスターとハウジング本体との間にバッファ空間があるため、フィルタが目詰まりしても、空気の流入量が一気に低下することがない。
【００２１】
請求項２に記載の発明によれば、フィルタがフィルタカバーを隠して覆い隠されており、上記通気孔を中心に上記ハウジング本体に回転可能に取り付けられているとともに、上記フィルタを通過する空気を案内する固定リングが設けられており、固定リングは、その一部が切り欠かれた切欠部を有し、フィルタカバーを回転させることにより、空気の吹出方向（吸い込み方向）を自在に設定できるばかりでなく、汚れたフィルタが室内に露出して見えないので、美観もよい。
【００２２】
請求項３に記載の発明によれば、固定リングの切欠部に沿って形状的に合致する閉塞板を設けたことにより、フィルタカバーを所定位置に回転させることで、通気孔の空気の流通を止めることができる。
【００２３】
請求項４に記載の発明によれば、フィルタに静電処理が施されていることにより、繊維の目付量を増やすことなく、適度な通気性を確保しつつ、埃や花粉を静電気で確実に捕捉することができる。
【００２４】
請求項５に記載の発明によれば、支持プレートとベースフレームとの間に、固定手段としての両面粘着テープが介在されていることにより、支持プレートとベースフレームとの間の隙間から空気が漏れるのを防ぐことができるばかりでなく、分割されたプレートメンバーを一体的に固定することもできる。
【発明を実施するための最良の形態】
【００２５】
次に、本発明の実施形態について図面を参照しながら説明するが、本発明はこの限りではない。図１は、本発明の一実施形態に係るフィルタ装置の分解斜視図であり、図２は、フィルタ装置を壁面に取り付けた状態の断面図である。
【００２６】
図１および図２に示すように、このフィルタ装置１は、壁面に沿って取り付けられる支持プレート２０と、同支持プレート２０に取り付けられるベースフレーム３０と、ベースフレーム３０に取り付けられるハウジング本体４０と、同ハウジング本体４０の通気孔４１に設けられるフィルタ５０と、フィルタ５０をハウジング本体４０に固定するための固定リング６０と、通気孔４１を覆い隠すフィルタカバー７０とを備えている。
【００２７】
フィルタ装置１は、室内の壁面Ｗに設置された換気レジスター８０を覆い隠すように取り付けられる。図２に示すように、換気レジスター８０は、壁面Ｗに穿設された換気孔Ｈ内に差し込まれる円筒状の換気スリーブ８１と、換気孔Ｈよりも大径に換気スリーブ８１の一端に形成されるフランジ部８２とを備え、フランジ部８２が換気孔Ｈを塞ぐように壁面Ｗに沿って配置される。
【００２８】
この実施形態において、フランジ部８２には、外気を取り込むためのグリル８３が形成されている。換気レジスター８０は、自然吸気式もしくは、内部に図示しない換気ファンを備えている強制給気式のいずれであってもよい。
【００２９】
支持プレート２０は、ポリカーボネイトなどの合成樹脂製の板体からなり、換気レジスター８０のフランジ部８２と壁面Ｗとの隙間Ｇに差し込むようにして取り付けられる。そのため、支持プレート２０は複数枚、この例では４枚のプレートメンバー２０ａ〜２０ｄを組み合わせて形成される。この例において、支持プレート２０は、ポリカーボネイト樹脂製であるが、これ以外に強度のある樹脂製であってもよいし、金属製であってもよい。
【００３０】
各プレートメンバー２０ａ〜２０ｄは、壁面Ｗの換気孔Ｈを中心として対称な同一形状に形成されており、以下においては、そのうちのプレートメンバー２０ａを例にとって説明する。
【００３１】
プレートメンバー２０ａは平面ほぼ台形状に形成されており、短辺に相当する辺２１が、スリーブ部８１の外周縁に沿って当接するよう円弧状に形成されている。プレートメンバー２０ａは、壁面Ｗとフランジ部８２との間に存在する隙間Ｇの間に挿入可能な厚さを備えている。
【００３２】
これら各プレートメンバー２０ａ〜２０ｄの辺２１を壁面Ｗとフランジ部８２との間の隙間Ｇに差し込み、隣接プレートメンバー２０ａ〜２０ｄの対向する傾斜辺２２，２２を互いに突き合わせることにより、フランジ部８２の周りに支持プレート２０が形成される。
【００３３】
この例において、各プレートメンバー２０ａ〜２０ｄは、それぞれ換気孔Ｈを中心とする対称形状に形成されているが、壁面Ｗとフランジ部８２との間に存在する隙間Ｇの間に挿入可能な形状であれば、非対称形状であってもよい。
【００３４】
再び図１を参照して、ベースフレーム３０は、支持プレート２０に沿って配置される扁平な基部３１と、同基部３１の一端から壁面Ｗの反対方向に垂直に立設される起立部３２とを有し、ハウジング本体４０の底面開口に沿って嵌合可能な矩形状の枠体として形成されている。
【００３５】
基部３１は、支持プレート２０のほぼ外周に沿って配置可能な大きさを有し、その裏面側（図２では左側面）には、ベースフレーム３０を支持プレート２０に固定するための両面粘着テープＴが設けられている。
【００３６】
図３に示すように、基部３１には、支持プレート２０を使用することなくベースフレーム３０を直接壁面Ｗに固定する際に用いられる釘打ち孔３５が設けられている。釘打ち孔３５は、基部３１を斜めに貫通する貫通孔からなり、基部３１の内面側には釘Ｐを斜めに差し込むための傾斜台３６が一体的に形成されている。
【００３７】
この例において、釘打ち孔３５は、３つ１組となって各辺ごとに２箇所ずつ設けられており、全部で合計８箇所設けられているが、その数は特に限定されない。
【００３８】
起立部３２は、基部３１の端縁に沿って所定高さをもって立設されており、その一部には、ハウジング本体４０を固定するための係止爪３３が設けられている。この例において、係止爪３３は、一辺の起立部３２ごとに２箇所ずつ、合計８箇所設けられているが、その数や形状は仕様に応じて任意に選択できる。
【００３９】
図３に示すように、係止爪３３は、起立部３２の上端から基部３１に向かって形成された一対のスリット溝３４，３４の間に残されるように形成された舌片からなり、その先端の外周面側には、ハウジング本体４０の内周面に形成された図示しない係止凸部に係止される凸部３３ａが設けられている。
【００４０】
図１，２および図４を参照して、ハウジング本体４０は、底面（図２では左側面）が開放され、換気スリーブ８１のフランジ部８２を収納可能な大きさを有する箱状に形成されており、その中央には、空気の通り道となる通気孔４１が開口されている。ハウジング本体４０もＡＢＳなどの合成樹脂の成型品からなるが、金属製であってもよい。
【００４１】
図２に示すように、ハウジング本体４０の底面側開口部の内周面には、凹状の段差面４２が設けられており、段差面４２に沿ってベースフレーム３０の起立部３２が収納されるようになっている。なお、段差面４２に上述した係止爪３３によって係止される係止凸部（図示せず）が設けられている。
【００４２】
この例において、ハウジング本体４０は矩形状の箱体からなるが、円筒状に形成されててもよく、少なくともフランジ部８２を収納可能な大きさを備えていれば、その形状および材質は仕様に応じて任意に選択できる。
【００４３】
図４（ａ）に示すように、ハウジング本体４０の通気孔４１の周縁には、固定リング６０を係止するための係止凸部４３ａ〜４３ｄが、９０°間隔で４箇所に設けられている。係止凸部４３ａ〜４３ｄは、ハウジング本体４０の上面からほぼ垂直に立設されており、図４（ｂ）に示すように、その付け根には、固定リング６０のフランジリング６１の一部が係止される係止溝４４が設けられている。
【００４４】
４つの係止凸部４３ａ〜４３ｄのうち、正面向かって下側（図６参照）の２箇所の係止凸部４３ｃ，４３ｄの間には、固定リング６０に形成されたガイドリブ６２と係合して空気の流れを止めるための閉塞板４５が形成されている。
【００４５】
閉塞板４５は、ハウジング本体４０の上面からほぼ垂直に立設されており、係止凸部４３ｃ、４３ｄの間を跨ぐように、円弧状に形成されている。図６（ｂ）に示すように、閉塞板４５は、固定リング６０のガイドリブ６２の切欠部６４に沿って合致させることにより切欠部６４を塞ぐようになっている。
【００４６】
ハウジング本体４０の上面の下部中央には、後述するフィルタカバー７０の係止位置を規定するための第１位置決めマーカ４６が設けられている。この例において、第１位置決めマーカ４６は、ハウジング本体４０の上面から凹まされた凹部からなるが、凸部であってもよいし、シールなどを貼り付けてもよく、係止位置を認識しやすいものであれば、仕様に応じて任意に変更可能である。
【００４７】
再び図１を参照して、フィルタ５０は、好ましくは微細な塵埃を除去可能な不織布フィルタからなり、少なくともハウジング本体４０の通気孔４１よりも大径な円板状に形成されている。
【００４８】
フィルタ５０には、半径方向に向かって張り出された一対の耳部５２，５２が設けられており、各耳部５２，５２にフィルタ５０をハウジング本体４０に位置決めするための位置決め孔５１，５１が設けられている。
【００４９】
この位置決め孔５１，５１を係止凸部４３ａ，４３ｂに差し込むことにより、フィルタ５０がハウジング本体４０の通気孔４１を塞ぐように仮止めされる。花粉などの微細塵埃を除去するためには、フィルタ５０の目付量を増やして、その隙間を狭くすればよいが、隙間を狭くした場合、逆に空気の流れが悪くなる。
【００５０】
そこで、この例において、フィルタ５０は、東洋紡績社製の抗アレルゲン・抗ウイルス繊維「ナノアタック」（登録商標）を目付量８０〜１００ｇ／ｍ２にて不織布に形成した集塵フィルタと、静電処理された静電フィルタとを２枚重ね合わせたものが用いられているが、これ以外の不織布繊維を用いてもよい。
【００５１】
これによれば、集塵フィルタと静電フィルタとを２枚重ねで用いることにより、目付量を増やすことなく、空気の流入量を変えずに集塵率をよくすることができる。
【００５２】
本発明において、フィルタ５０の具体的な構成は任意的事項であるが、好ましくは、ＪＩＳ−Ｂ９９０８に準拠する集塵フィルタテストにおいて、０．３μ塵埃を４０％以上、１５種粉塵を９０％以上除去できるフィルタ性能を備えていることが好ましい。
【００５３】
図５を参照して、固定リング６０は、ハウジング本体４０の通気孔４１の周縁に沿って配置されるフランジリング６１と、同フランジリング６１からハウジング本体４０とは離反する方向にほぼ垂直に立設されるガイドリブ６２とを備えている。
【００５４】
フランジリング６１は、その半径が、通気孔４１の中心から各係止凸部４３ａ〜４３ｄの係止溝４４の内周面までの距離とほぼ同一であり、係止溝４４に沿って回動可能な大きさを備えている。
【００５５】
フランジリング６１の外周面には、固定リング６０をハウジング本体４０に取り付ける際に、各係止凸部４３ａ〜４３ｄを逃がすための切欠部６３が、係止凸部４３ａ〜４３ｄに対応するように４箇所設けられている。
【００５６】
図６（ｂ）を併せて参照して、ガイドリブ６２は、フランジリング６１の頂部から左右対称に延設された円弧状を呈し、その一部が切り欠かれている（切欠部６４）。このガイドリブ６２と、ハウジング本体４０側に形成された閉塞板４５とが合致することで、切欠部６４が塞がれるため、空気の流れを止めることができる。
【００５７】
ガイドリブ６２には、フィルタカバー７０を固定するための、係止孔６５が所定間隔で複数、この例では６箇所設けられている。図２に示すように、これら係止孔６５にフィルタカバー７０の裏面側に設けられた各ボス７１を差し込むことにより、固定リング６０がフィルタカバー７０の裏面側に一体的に固定される。
【００５８】
フィルタカバー７０は扁平な矩形パネルからなり、裏面側（図２では左側面側）には、上記固定リング６０を固定するためのボス７１が、係止孔６５に対応して６箇所、環状に並んで配置されている。
【００５９】
フィルタカバー７０の表面側には、第２位置決めマーカ７２が設けられている。第２位置決めマーカ７２は、フィルタカバーの中央下部に設けられた凹部からなり、上述したハウジング本体４０側に設けられた第１位置決めマーカ４６と向かい合わせることで、フィルタカバー７０を正しい係止位置に導くことができる。
【００６０】
この例において、フィルタカバー７０は、矩形パネルからなるが、これ以外に円形パネルであってもよく、その形状は仕様に応じて任意である。また、室内に合わせて各種配色を施したり、装飾を施すなどしてもよい。
【００６１】
次に、このフィルタ装置１の取付手順の一例について、図面を参照しながら説明する。まず、準備作業として、フィルタ５０をハウジング本体４０に取り付ける。図１に示すように、フィルタ５０を取り付けるに当たっては、まず、フィルタ５０の取付孔５１，５１をハウジング本体の係止凸部４３ａ，４３ｂに位置合わせして、差し込む。
【００６２】
次に、あらかじめ固定リング６０が取り付けられたフィルタカバー７０をハウジング本体４０に取り付ける。まず、図６（ａ）に示すように、フィルタカバー７０を各位置決めマーカ４６，７２同士が対向する位置から約４５°回転させた状態でフィルタカバー７０をハウジング本体４０に向けて押し付ける。
【００６３】
この状態において、フランジリング６１に設けられた各切欠部６３と各係止凸部４３ａ〜４３dとが互いに対向するため、フランジリング６１をハウジング本体４０の通気孔４１の外周縁に当接させ、フィルタ５０を挟み込む。
【００６４】
次に、図６（ｂ）に示すように、フィルタカバー７０を時計回りにほぼ４５°回転させて各位置決めマーカー４６，７２同士を互いに向き合わせることにより、フランジリング６１が係止溝４４によって係止されて、フィルタカバー７０は係止凸部４３ａ〜４３ｄによって固定される。
【００６５】
以上により、ハウジング本体４０と固定リング６０とによってフィルタ５０が狭持されることで、通気孔４１に沿ってフィルタ５０が取り付けられる。図６（ｂ）に示す状態において、閉塞板４５はガイドリブ６２の切欠部６４を塞ぐように配置されるため、空気の流れが止められた状態にある。そこで、フィルタカバー７０を９０°間隔で回転させることで、切欠部６４が開放され、好みの方向から空気を取り込むことができる。
【００６６】
なお、フィルタ５０を交換するに当たっては、上述した取付手順と逆手順でフィルタカバー７０をハウジング本体４０から外すことで、簡単にフィルタ５０を交換することができる。
【００６７】
これとは別に、支持プレート２０を壁面Ｗと換気レジスター８０との間に取り付ける。図７（ａ）に示すように、プレートメンバー２０ａを壁面Ｗと換気レジスター８０のフランジ部８２との間に存在する隙間Ｇに差し込み、辺２１が換気レジスター８０の換気スリーブ８１の外周面に沿って当接するまで差し込む。
【００６８】
これにより、プレートメンバー２０ａは、隙間Ｇによって狭持される。同様の方法で、残りの３枚のプレートメンバー２０ｃ〜２０ｄを順に差し込んでゆき、隣接するプレートメンバー２０ａ〜２０ｄの対向する傾斜面２２同志を互いに対向させることで、図７（ｂ）に示すように、１枚の支持プレート２０が組み立てられる。この状態において、支持プレート２０は、隙間Ｇとの狭持力によってのみ保持されている。
【００６９】
次に、ベースフレーム３０の裏面側に設置された両面粘着テープＴの図示しないセパレータを剥がし取り、表れた粘着面を支持プレート２０の外周縁に沿って貼り付けることにより、図７（ｃ）に示すように、支持プレート２０上にベースフレーム３０が固定されるとともに、各プレートメンバー２０ａ〜２０ｄが一体的に固定される。
【００７０】
支持プレート２０を用いることなく、ベースフレーム３０を壁面Ｗに直接固定するには、図３に示すように、基部３１に設けられた釘打ち孔３５に釘Ｐを打ち込むことにより、ベースプレート３０を壁面に固定することもできる。
【００７１】
しかる後、ベースフレーム３０の起立部３２に沿ってハウジング本体４０を押し込んでゆき、起立部３２の係止爪３３をハウジング本体４０の内周面に形成された凸部（図示せず）に係止することにより、フィルタ装置１が換気レジスター８０を覆うように設置される。
【００７２】
この例において、ベースフレーム３０は両面粘着テープＴを介して支持プレート２０に貼り付けられているが、密閉性や、簡便性を考慮すると、独立気泡発泡体を基材とした粘着テープがより好ましい。これ以外に、ミクロ吸盤を多数有する吸着テープやなどの固定手段を用いてもよいし、両面粘着テープＴに変えて物理的な嵌合手段によって取り付けてもよい。
【図面の簡単な説明】
【００７３】
【図１】本発明の一実施形態に係るフィルタ装置の分解斜視図。
【図２】上記フィルタ装置を壁面に取り付けた状態の断面図。
【図３】ベースフレームの一部を拡大した部分拡大斜視図。
【図４】ハウジング本体の斜視図。
【図５】固定リングの斜視図。
【図６】（ａ）固定リングがアンロック状態を示す参考正面図，（ｂ）固定リングがロック状態を示す参考正面図。
【図７】（ａ）〜（ｄ）支持プレートの組立手順を説明する説明図。
【符号の説明】
【００７４】
１  フィルタ装置
２０  支持プレート
２０ａ〜２０ｄ  プレートメンバー
３０  ベースフレーム
３１  基部
３２  起立部
３３  係止爪
４０  ハウジング本体
４１  通気孔
４３ａ〜４３ｄ  係止凸部
４６  第１位置決めマーカ
５０  フィルタ
６０  固定リング
６１  フランジリング
６２  ガイドリブ
６３  切欠部
７０  フィルタカバー
７２  第２位置決めマーカ
８０  換気レジスター
８１  換気スリーブ
８２  フランジ部
Ｔ  両面粘着テープ
Ｗ  壁面
【図１】
0005130010.tif 000002
【図２】
0005130010.tif 000003
【図３】
0005130010.tif 000004
【図４】
0005130010.tif 000005
【図５】
0005130010.tif 000006
【図６】
0005130010.tif 000007
【図７】
0005130010.tif 000008